Podtech/llm-jp-corpus-v4-ja_patent huggingface dataset:
【手続補正書】
【提出日】平成17年8月22日(2005.8.22)
【手続補正１】
【補正対象書類名】明細書
【補正対象項目名】特許請求の範囲
【補正方法】変更
【補正の内容】
【特許請求の範囲】
【請求項１】
遊技の進行に応じて又は遊技状態の変化に応じて音声を出力し、パート増減条件が成立すると、前記出力する楽器等のパートを増減変化させる遊技機において、
前記パート増減条件は図柄の表示状態に対応して複数設定されており、
図柄の変動開始と共に前記音声の出力を開始し、前記図柄の表示状態が変化すると前記出力する楽器等のパートを増減変化させ、
前記図柄が当たり図柄で確定表示されたときは前記音声の出力を停止し、
大当たり遊技の開始と共に全パートが出力された状態で音声を出力する
ことを特徴とする遊技機。
【請求項２】
請求項１記載の遊技機において、
予め設定された特別状態中になると、該特別状態の開始と共に前記音声の出力を開始してこれを継続し、図柄の変動開始と共に前記出力する楽器等のパートを増減変化させ、また前記図柄の表示状態が変化すると前記出力する楽器等のパートを増減変化させる
ことを特徴とする遊技機。
【請求項３】
請求項２記載の遊技機において、
前記特別状態の開始と共に曲の音声出力を開始してこれを継続し、
前記図柄の変動開始及び該変動開始と共に行われる前記楽器等のパートの増減変化を前記曲の次のフレーズの開始まで遅延させて該フレーズの開始に同期させる
ことを特徴とする遊技機。
【請求項４】
請求項１、２又は３記載の遊技機において、
同じ曲であるが前記楽器等のパートの組合わせが異なる複数のバージョンを持つ曲があり、予め設定されている切替条件に従って前記複数のバージョンを切替えて出力することを特徴とする遊技機。
【手続補正２】
【補正対象書類名】明細書
【補正対象項目名】０００４
【補正方法】変更
【補正の内容】
【０００４】
【課題を解決するための手段および発明の効果】
請求項１記載の遊技機は、
遊技の進行に応じて又は遊技状態の変化に応じて音声を出力し、パート増減条件が成立すると、前記出力する楽器等のパートを増減変化させる遊技機において、
前記パート増減条件は図柄の表示状態に対応して複数設定されており、
図柄の変動開始と共に前記音声の出力を開始し、前記図柄の表示状態が変化すると前記出力する楽器等のパートを増減変化させ、
前記図柄が当たり図柄で確定表示されたときは前記音声の出力を停止し、
大当たり遊技の開始と共に全パートが出力された状態で音声を出力する
ことを特徴とする。
【手続補正３】
【補正対象書類名】明細書
【補正対象項目名】０００６
【補正方法】変更
【補正の内容】
【０００６】
パート増減条件は、音声出力のパートを増加したり減少させたりする条件として設定されていればよいのであるが、パート増減条件を図柄の表示状態に対応して設定することで、例えば図柄変動に際して、変動開始時はドラム音のみ、リーチになるとベース音を加え、スーパーリーチになるとギター音を加え、さらに大当たり表示になるとヴォーカル音を加える、というような演出が可能になる。
【手続補正４】
【補正対象書類名】明細書
【補正対象項目名】０００７
【補正方法】変更
【補正の内容】
【０００７】
図柄の変動開始と共に音声の出力を開始して図柄の表示状態が変化すると出力する楽器等のパートを増減変化させるから、図柄の表示状態の変化に応じて、ＢＧＭ等の音声が徐々に完成された状態で出力されたり、逆にパート数を減らしたりすることで、パート数の増減と共に遊技の興趣を向上していくことができる。
また、パートの増減（パート音の消音や発音）のタイミングにより、リーチや大当たりの予告、告知等を行うこともできる。
【手続補正５】
【補正対象書類名】明細書
【補正対象項目名】０００９
【補正方法】変更
【補正の内容】
【０００９】
なお、周知の曲を各パートに分割して使用することにより、遊技者に曲の完成度など報知が好適に行うことができる。
【手続補正６】
【補正対象書類名】明細書
【補正対象項目名】００１０
【補正方法】変更
【補正の内容】
【００１０】
請求項２記載の遊技機は、請求項１記載の遊技機において、予め設定された特別状態中になると、該特別状態の開始と共に前記音声の出力を開始してこれを継続し、図柄の変動開始と共に前記出力する楽器等のパートを増減変化させ、また前記図柄の表示状態が変化すると前記出力する楽器等のパートを増減変化させることを特徴とする。
【手続補正７】
【補正対象書類名】明細書
【補正対象項目名】００１１
【補正方法】変更
【補正の内容】
【００１１】
特別状態としては、例えば高確率状態、時短中、複数の表示モードを持つ場合のどれか１モード中等が例示されるが、これらに限るわけではない。
【手続補正８】
【補正対象書類名】明細書
【補正対象項目名】００１２
【補正方法】変更
【補正の内容】
【００１２】
特別状態の開始と共に音声の出力を開始してこれを継続することで、特別状態（例えば高確率中）と通常状態の違いを明確に報知することができる。
請求項３記載の遊技機は、請求項２記載の遊技機において、前記特別状態の開始と共に曲の音声出力を開始してこれを継続し、前記図柄の変動開始及び該変動開始と共に行われる前記楽器等のパートの増減変化を前記曲の次のフレーズの開始まで遅延させて該フレーズの開始に同期させるので、図柄の変動開始に伴うパートの増減変化のタイミングがフレーズの開始（切り替わり）になり、スムーズに音が重奏されて遊技者の耳にも心地よく入っていき、遊技者に耳障りで違和感、不快感を与えるおそれがない。
請求項４記載の遊技機は、請求項１、２又は３記載の遊技機において、前記音声出力される曲の中には同じ曲であるが前記楽器等のパートの組合わせが異なる複数のバージョンを持つ曲があり、予め設定されている切替条件に従って前記複数のバージョンを切替えて出力することを特徴とする。
【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
紫外線を発生させる紫外線発生源が収納された第１のケーシングと、
上記紫外線で殺菌又は改質を行うための対象物が移送されると共に当該移送路に沿って開口されて上記紫外線発生源からの紫外線が入射される開口部を有する第２のケーシングと、
上記第１のケーシングと上記第２のケーシングとの間に介在されたシャッタ部材と、
上記シャッタ部材を進退動作させて上記開口部を開閉させるシャッタ駆動手段と、
上記シャッタ部材の上記紫外線発生源に対向する面と反対側の面に紫外線を照射させる紫外線照射手段を設けたことを特徴とする紫外線照射装置。
【請求項２】
請求項１記載の紫外線照射装置において、
上記紫外線照射手段は、上記シャッタ部材の上記紫外線発生源と反対側に配置され当該シャッタ部材の上記対象物側の面に紫外線を照射させる紫外線ランプを有することを特徴とする紫外線照射装置。
【請求項３】
請求項２記載の紫外線照射装置において、
上記紫外線発生源及び上記紫外線照射手段の少なくとも一方は１又は２以上の紫外線ランプを有し、当該紫外線ランプはガラス管の両端に設けられた電極にそれぞれ接続されるリード線が設けられ、一方の電極に接続されたリード線を上記ガラス管の外面に沿って他方の電極側まで延在させたことを特徴とする紫外線照射装置。
【請求項４】
請求項２記載の紫外線照射装置において、
上記紫外線照射手段は、上記紫外線ランプを支持する支持プレートと、上記支持プレートに取り付けられ且つ紫外線透過性樹脂により形成されたランプカバーとを有し、当該ランプカバーで上記紫外線ランプの全体を覆うようにしたことを特徴とする紫外線照射装置。
【請求項５】
請求項１記載の紫外線照射装置において、
上記紫外線照射手段は、上記紫外線発生源から発生された紫外線を反射させて上記シャッタ部材の上記対象物側の面に導く紫外線誘導部材を有し、当該紫外線誘導部材を介して上記紫外線を上記シャッタ部材の対象物側の面に照射させることを特徴とする紫外線照射装置。
【請求項６】
請求項１記載の紫外線照射装置において、
上記シャッタ部材は、上記紫外線を微少量透過させる部材で形成したことを特徴とする紫外線照射装置。
【請求項７】
請求項６記載の紫外線照射装置において、
上記シャッタ部材は、紫外線透過性フッ素樹脂で形成したことを特徴とする紫外線照射装置。
【請求項８】
請求項６記載の紫外線照射装置において、
上記シャッタ部材は、紫外線を透過させるための多数の穴又は溝を設けた金属板で形成したことを特徴とする紫外線照射装置。
【請求項９】
請求項１記載の紫外線照射装置において、
上記第２のケーシングと上記シャッタ部材との間には、上記開口部を仕切る仕切り部材を設けたことを特徴とする紫外線照射装置。
【手続補正２】
【補正対象書類名】明細書
【補正対象項目名】００２１
【補正方法】変更
【補正の内容】
【００２１】
本出願の請求項８記載の紫外線照射装置は、シャッタ部材は、紫外線を透過させるための多数の穴又は溝を設けた金属板で形成したことを特徴としている。
また、本出願の請求項９記載の紫外線照射装置は、第２のケーシングとシャッタ部材との間には、開口部を仕切る仕切り部材を設けたことを特徴としている。
【手続補正３】
【補正対象書類名】明細書
【補正対象項目名】００２９
【補正方法】変更
【補正の内容】
【００２９】
本出願の請求項８記載の紫外線照射装置では、紫外線を透過させるための多数の穴又は溝を設けた金属板でシャッタ部材を形成することにより、シャッタ部材に紫外線を透過させて反対側の面を紫外線殺菌等することができ、シャッタ部材を介して細菌や埃等がケーシング内に入り込むのを効果的に防止することができる。
また、本出願の請求項９記載の紫外線照射装置では、紫外線ランプが割れた場合に、ガラス管の破片等が第２のケーシング内に入り込むのを防止することができる。
【手続補正４】
【補正対象書類名】明細書
【補正対象項目名】０１０７
【補正方法】変更
【補正の内容】
【０１０７】
本出願の請求項８記載の紫外線照射装置によれば、紫外線を透過させるための多数の穴又は溝を設けた金属板でシャッタ部材を形成する構成としたため、シャッタ部材に紫外線を透過させて反対側の面を紫外線殺菌することができ、シャッタ部材を介して細菌等がケーシング内に入り込むのを効果的に防止することができるという効果を得ることができる。
また、本出願の請求項９記載の紫外線照射装置によれば、第２のケーシングとシャッタ部材との間に、開口部を仕切る仕切り部材を設ける構成としたため、空気中からケーシング内に入り込んだ埃や塵等が、キャップシュート内に入り込んでキャップに付着するのを防止することができると共に、紫外線ランプが破損したような場合においても、ガラスの破片や水銀等が飛び散って、キャップに付着するおそれを防止することができる。
【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
先端側に配置された線状の第１ワイヤと、
前記第１ワイヤの基端側に配置され、前記第１ワイヤの構成材料より弾性率が大きい材料で構成された線状の第２ワイヤと、
前記第１ワイヤと前記第２ワイヤとの間に配置され、前記第１ワイヤの構成材料より弾性率が大きく、かつ、前記第２ワイヤの構成材料より弾性率が小さい材料で構成された線状の第３ワイヤとを備え、
前記第１ワイヤと前記第３ワイヤ、および、前記第３ワイヤと前記第２ワイヤとは、それぞれ、溶接により連結されていることを特徴とするガイドワイヤ。
【請求項２】
前記第１ワイヤは、超弾性合金で構成されている請求項１に記載のガイドワイヤ。
【請求項３】
前記第２ワイヤは、ステンレス鋼またはコバルト系合金で構成されている請求項１に記載のガイドワイヤ。
【請求項４】
前記第３ワイヤは、Ｎｉを主とするＮｉ系合金で構成されている請求項１に記載のガイドワイヤ。
【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
先端側に配置された線状の第１ワイヤと、
前記第１ワイヤの基端側に配置され、前記第１ワイヤの構成材料より弾性率が大きい材料で構成された線状の第２ワイヤとを備え、
前記第１ワイヤと前記第２ワイヤとは、溶接により連結され、
前記第１ワイヤおよび前記第２ワイヤの外径は、前記第１ワイヤと前記第２ワイヤとの溶接部より基端側の位置から前記溶接部を跨いで前記溶接部より先端側の位置まで、先端方向へ向かって漸減していることを特徴とするガイドワイヤ。
【請求項２】
前記第１ワイヤと前記第２ワイヤとの接続端面は、両ワイヤの軸方向にほぼ垂直になっている請求項１に記載のガイドワイヤ。
【請求項３】
前記第１ワイヤと前記第２ワイヤとの接続端面は、両ワイヤの軸方向に垂直な平面に対し傾斜している請求項１に記載のガイドワイヤ。
【請求項４】
前記第１ワイヤと前記第２ワイヤとの接続端面は、凹面または凸面になっている請求項１に記載のガイドワイヤ。
【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】
支持軸及び操作軸を有し、前記支持軸において回動可能に軸支され、所定条件が成立した場合に、前記操作軸に対し、駆動手段からの駆動力が伝達されることによって所定の動作が導出されるよう構成された可動部材を備えた遊技機において、
前記支持軸は、前記可動部材の非重心位置に設けられており、前記操作軸に関し、折れ、脱落等の特定の故障が生じた場合、前記所定条件の成立の有無に関わらず、前記可動部材が正常動作時にはとらない姿勢をとることを特徴とする遊技機。
【請求項２】
前記可動部材は、前記操作軸に対し、前記駆動手段からの駆動力が伝達されることによって前記支持軸を中心に所定の軌跡に沿って往復回動するよう構成され、
前記操作軸に関し、折れ、脱落等の特定の故障が生じた場合、前記可動部材は、前記支持軸のみによって支持されて前記所定の軌跡を逸脱した状態となることで、前記正常動作時にはとらない姿勢をとることを特徴とする請求項１に記載の遊技機。
【請求項３】
支持軸及び操作軸を有し、前記支持軸において回動可能に軸支され、所定条件が成立した場合に、前記操作軸に対し、駆動手段からの駆動力が伝達されることによって所定の動作が導出されるよう構成された可動部材を備えた遊技機において、
前記操作軸は、前記可動部材の非重心位置に設けられており、前記支持軸に関し、折れ、脱落等の特定の故障が生じた場合、所定条件の成立の有無に関わらず、前記可動部材が正常動作時にはとらない姿勢をとることを特徴とする遊技機。
【請求項４】
前記可動部材は、前記操作軸に対し、前記駆動手段からの駆動力が伝達されることによって前記支持軸を中心に所定の軌跡に沿って往復回動するよう構成され、
前記支持軸に関し、折れ、脱落等の特定の故障が生じた場合、前記可動部材は、前記操作軸のみによって支持されて前記所定の軌跡を逸脱した状態となることで、前記正常動作時にはとらない姿勢をとることを特徴とする請求項３に記載の遊技機。
【請求項５】
支持軸及び操作軸を有し、前記支持軸において回動可能に軸支され、所定条件が成立した場合に、前記操作軸に対し、駆動手段からの駆動力が伝達されることによって所定の動作が導出されるよう構成された可動部材を備えた遊技機において、
前記支持軸及び操作軸は、いずれも前記可動部材の非重心位置に設けられており、当該支持軸又は操作軸に関し、折れ、脱落等の特定の故障が生じた場合、所定条件の成立の有無に関わらず、前記可動部材が正常動作時にはとらない姿勢をとることを特徴とする遊技機。
【請求項６】
前記可動部材は、前記操作軸に対し、前記駆動手段からの駆動力が伝達されることによって前記支持軸を中心に所定の軌跡に沿って往復回動するよう構成され、
前記操作軸に関し、折れ、脱落等の特定の故障が生じた場合、前記可動部材は、前記支持軸のみによって支持されて前記所定の軌跡を逸脱した状態となり、
前記支持軸に関し、折れ、脱落等の特定の故障が生じた場合、前記可動部材は、前記操作軸のみによって支持されて前記所定の軌跡を逸脱した状態となることで、
前記正常動作時にはとらない姿勢をとることを特徴とする請求項５に記載の遊技機。
【請求項７】
遊技盤を備えるとともに、前記可動部材は、前記遊技盤面に沿って略平行に配置されており、かつ、正面非円形状をなすことを特徴とする請求項１乃至６のいずれかに記載の遊技機。
【請求項８】
前記可動部材は、並列状態で複数設置されていることを特徴とする請求項１乃至７のいずれかに記載の遊技機。
【請求項９】
前記可動部材が正常動作時にはとらない姿勢をとることにより、特定の故障を教示する情報を視認可能としたことを特徴とする請求項１乃至８のいずれかに記載の遊技機。
【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】
開口部を有する取付枠と、
前記開口部に対応して前後方向に重複配置されて取付けられる複数枚のいずれも略同一形状の透光性を有する板状体と、
前記板状体の背面側に設けられた照射手段と
を有し、前記照射手段からの照射光を、前記複数枚の板状体を介して前方より視認可能とした装飾手段を備えた遊技機において、
前記取付枠は、個々の板状体を各々取付ける取付部を具備し、
前記各板状体は、互いに当接状態で取付けられ、
前記取付部は、前記各板状体のうち、最も前面側に位置する板状体の前面に当接して当該板状体の前面側への移動を規制する支持部と、
前記最も前面側に位置する板状体の背面に当接して当該板状体の背面側への移動を規制する特定係止部と、
その他の板状体の背面に当接して当該板状体の背面側への移動を規制する係止部とを備えることを特徴とする遊技機。
【請求項２】
開口部を有する取付枠と、
前記開口部に対応して前後方向に重複配置されて取付けられる複数枚のいずれも略同一形状の透光性を有する板状体と、
前記板状体の背面側に設けられた照射手段と
を有し、前記照射手段からの照射光を、前記複数枚の板状体を介して前方より視認可能とした装飾手段を備えた遊技機において、
前記取付枠は、個々の板状体を各々取付ける取付部を具備し、
前記取付部は、前記各板状体のうち、最も前面側に位置する板状体の前面に当接して当該板状体の前面側への移動を規制する支持部と、
前記板状体の背面に当接して当該板状体の背面側への移動を規制するとともに、当該板状体の背面側に位置する板状体の前面に当接して当該板状体の前面側への移動を規制する特定係止部と、
前記板状体の背面側に位置する板状体の背面に当接して当該板状体の背面側への移動を規制する係止部とを備えることを特徴とする遊技機。
【請求項３】
前記板状体に当該板状体以外の板状体を係止するための前記特定係止部及び係止部に対応して切り欠きを形成したことを特徴とする請求項１又は２に記載の遊技機。
【請求項４】
前記特定係止部及び係止部を、前後方向において互いに重ならないよう配設したことを特徴とする請求項１乃至３のいずれかに記載の遊技機。
【請求項５】
少なくとも１枚の前記板状体の背面側に突起を設け、該突起を引っ張ることで当該板状部を取外可能としたことを特徴とする請求項１乃至４のいずれかに記載の遊技機。
【請求項６】
前記板状体のうち複数枚の板状体は、その前面又は背面において断面略半円形状の直線状凸部を列状に複数備え、前記各板状体の前記直線状凸部の延在方向が互いに交差するように重複配置されて前記開口部に対応して取付けられていることを特徴とする請求項１乃至５のいずれかに記載の遊技機。
【手続補正書】
【提出日】平成17年3月3日(2005.3.3)
【手続補正１】
【補正対象書類名】明細書
【補正対象項目名】００２６
【補正方法】変更
【補正の内容】
【００２６】
また、ピンポン玉５は、丸い形状で角を有していないので、子供が当該ぬいぐるみおもちゃを踏んで足に怪我をするおそれがない。さらに、当該ぬいぐるみおもちゃは、布製なので、乾燥させる場合には、ぬいぐるみを絞って乾燥させることができる。この場合において、角がないピンポン玉５が内部に埋め込まれていれば、ぬいぐるみ１が破れるおそれがない。
【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】
遊技盤に対し設けられ、識別情報を変動表示可能な可変表示装置の周囲を囲むセンターフレームを備え、
該センターフレームは、少なくとも
前記遊技盤に取着されるベース枠と、
前記ベース枠の下部に取付けられ、自身の上面を遊技球が転動可能となっているステージ部材とを具備する遊技機であって、
前記ステージ部材の両側には、係止手段を設け、
前記ベース枠には、前記ステージ部材を収容するための収容領域を設けるとともに、前記収容領域の両側には、前記係止手段が係止される被係止手段を設け、
少なくとも前記ステージ部材を上方から下方へと移動させ、その左右方向中心部を押圧することで、前記係止手段を前記被係止手段に係止可能としたことを特徴とする遊技機。
【請求項２】
遊技盤に対し設けられ、識別情報を変動表示可能な可変表示装置の周囲を囲むセンターフレームを備え、
該センターフレームは、少なくとも
前記遊技盤に取着されるベース枠と、
前記ベース枠の下部に取付けられ、自身の上面を遊技球が転動可能となっているステージ部材とを具備する遊技機であって、
前記ステージ部材の両側には、係止手段を設け、
前記ベース枠には、前記ステージ部材を収容するための収容領域を凹設するとともに、前記収容領域の両側には、前記係止手段が係止される被係止手段を設け、
前記ステージ部材を前記収容領域に対して前後方向へスライドさせることで前記係止手段を前記被係止手段に係止可能とするとともに、
前記ステージ部材を上方から下方へと移動させ、その左右方向中心部を押圧することでも、前記係止手段を前記被係止手段に係止可能としたことを特徴とする遊技機。
【請求項３】
前記ステージ部材を、その左右方向のうち、前記中心部において最も撓み易い構造としたことを特徴とする請求項１又は２に記載の遊技機。
【請求項４】
前記ステージ部材の取付状態において、該ステージ部材の両側と、それに隣接する前記ベース枠とがほぼ面一となるよう前記収容領域を形成したことを特徴とする請求項１乃至３に記載の遊技機。
【請求項５】
前記収容領域両側には、前記ステージ部材を上方から下方へと移動させる際に、ステージ部材両側を前記収容領域内に円滑に案内する案内面を形成したことを特徴とする請求項１乃至４のいずれかに記載の遊技機。
【請求項６】
前記ステージ部材は、ステージ面から左右方向にわたり上方及び下方のうち少なくとも一方に延びるリブ状体を備えており、該リブ状体は、左右方向中心部において切欠き部を有していることを特徴とする請求項１乃至５のいずれかに記載の遊技機。
【請求項７】
前記ステージ部材のステージ面は、左右方向中心部に位置する山部、該山部の左右両側に位置する谷部を有し、かつ、両谷部の側端部であって、前記ステージ部材の左右方向端部を該谷部よりも高く位置させ、前記ステージ面を連続した波状の湾曲面としたことを特徴とする請求項１乃至６のいずれかに記載の遊技機。
【請求項８】
遊技盤に対し設けられ、識別情報を変動表示可能な可変表示装置の周囲を囲むセンターフレームを備え、
該センターフレームは、少なくとも
前記遊技盤に取着されるベース枠と、
前記ベース枠の下部に取付けられ、自身の上面であるステージ面を遊技球が転動可能となっているステージ部材とを具備する遊技機であって、
前記ステージ部材の両側には、係止手段を設け、
前記ベース枠には、前記ステージ部材を収容するための収容領域を凹設するとともに、前記収容領域の両側には、前記係止手段が係止される被係止手段を設け、
前記ステージ部材のステージ面は、左右方向中心部に位置する山部、該山部の左右両側に位置する谷部を有し、かつ、両谷部の側端部であって、前記ステージ部材の左右方向端部を該谷部よりも高く位置させ、前記ステージ面を連続した波状の湾曲面とし、
前記ステージ部材は、前記ステージ面の後部から左右方向にわたり上方に延びる後部リブ状体と、前記ステージ面の前部から左右方向にわたり下方に延びる前部リブ状体とを備え、前記後部リブ状体及び前部リブ状体ともに、左右方向中心部において切欠き部を有していることを特徴とする遊技機。
【手続補正書】
【提出日】平成17年8月2日(2005.8.2)
【手続補正１】
【補正対象書類名】明細書
【補正対象項目名】特許請求の範囲
【補正方法】変更
【補正の内容】
【特許請求の範囲】
【請求項１】
表面に図柄が付された無端状ベルトを周回させるように構成するとともに、無端状ベルトの一部を視認できるように表示窓が設けられ、当該表示窓から前記図柄を視認できるようにした遊技機において、
前記各図柄を、ベルト周回方向にみて隣接する図柄同士で一つの完成図柄が構成されるように、部分図柄として表示したことを特徴とする遊技機。
【請求項２】
表面に図柄が付された無端状ベルトを周回させるように構成するとともに、無端状ベルトの一部を視認できるように表示窓が設けられ、当該表示窓から前記図柄を視認できるようにした遊技機において、
前記表示窓からはベルト周回方向にみて隣接する２つの図柄が表示されるように前記表示窓の大きさを設定するとともに、
前記各図柄を、ベルト周回方向にみて隣接する図柄同士で一つの完成図柄が構成されるように、部分図柄として表示したことを特徴とする遊技機。
【請求項３】
前記ベルトには偶数個の図柄が付されており、当該図柄は全て完成図柄を構成するための部分図柄であることを特徴とする請求項１又は２記載の遊技機。
【請求項４】
ベルト停止時において表示窓に完成図柄が常に表示されるようにベルト制御を行うベルト制御手段を備えたことを特徴とする請求項１乃至３のいずれかに記載の遊技機。
【請求項５】
完成図柄を構成する部分図柄のうち一方が所定の当り図柄であり、他方が外れ図柄であることを特徴とする請求項１乃至４のいずれかに記載の遊技機。
【請求項６】
前記完成図柄は、同一内容を示す第１完成図柄と、第１完成図柄とは異なる内容であって同一内容を示す第２完成図柄とからなり、第１完成図柄と第２完成図柄とがベルト周回方向に交互に配列されていることを特徴とする請求項１乃至５のいずれかに記載の遊技機。
【請求項７】
前記ベルトは複数設けられているとともに、それに対応して表示窓も複数設けられており、前記各表示窓から視認される完成図柄の組合せ（有効ラインが設定されている場合には有効ライン上の完成図柄の組合せ）が当り図柄の組合せとなった場合に特定の遊技価値を付与するものであることを特徴とする請求項１乃至６のいずれかに記載の遊技機。
【請求項８】
始動操作手段の操作に起因して前記ベルトの回転を始動させて図柄を可変表示するとともに、停止操作手段の操作に起因して或いは該停止操作手段が操作されないまま所定時間経過したことに起因して前記ベルトの回転を停止させて図柄の可変表示を停止するように構成したことを特徴とする請求項１乃至７のいずれかに記載の遊技機。
【手続補正書】
【提出日】平成17年7月26日(2005.7.26)
【手続補正１】
【補正対象書類名】明細書
【補正対象項目名】特許請求の範囲
【補正方法】変更
【補正の内容】
【特許請求の範囲】
【請求項１】
遊技盤に対し設けられ、識別情報を変動表示可能な可変表示装置の周囲を囲むセンターフレームを備え、
該センターフレームは、
前記遊技盤に取着されるベース枠と、
前記ベース枠の下部に取付けられ、自身の上面を遊技球が転動可能となっているステージ部と、
当該ベース枠の側部に設けられ、入口部から流入した遊技球を前記ステージ部へと案内可能になっている遊技球流路とを具備する遊技機であって、
前記遊技球流路内部に、前記遊技球の流下状態を変更する流下状態変更部を有しており、
前記流下状態変更部を、前記ベース枠に対し取外し可能に取着したことを特徴とする遊技機。
【請求項２】
前記遊技球流路の少なくとも一部は、前記ベース枠に取り付けられる板状部材で囲まれた空間として形成されており、
前記流下状態変更部は、前記板状部材の内壁面から突出し、前記遊技球の流下速度及び流れ方向の変更を担うリブであることを特徴とする請求項１に記載の遊技機。
【請求項３】
前記板状部材は、光の出射面を有する透光パネルの前記出射面側に重ね合わされて設けられた透明又は半透明のパネルであることを特徴とする請求項２に記載の遊技機。
【請求項４】
前記ベース枠を、遊技盤の正面側に配置される前ベース枠と、背面側に配置される後ベース枠とで構成し、
前記流下状態変更部を、前記後ベース枠に対し、取外し可能に取着したことを特徴とする請求項１乃至３のいずれかに記載の遊技機。
【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
回転自在な複数の回転部を備えた収納装置において、天板と底板との間を延び、複数の回転部で共通な蝶番軸を備え、天板及び底板の対向内面に蝶番取付座が配置され、上下の蝶番取付座の間において前記共通蝶番軸にはそれぞれの回転部のための蝶番の筒状部が端部当接構造において一連に挿入され、蝶番取付座の自由端は天板及び底板の前端面より延出され、天板及び底板の前端面より延出された蝶番取付座の前記自由端に前記蝶番軸の上下端が取付けられ、かつ前記端部当接構造はその下端が下側の蝶番取付座により受け止められていることを特徴とする収納装置。
【請求項２】
回転扉を備えた収納装置において、天板と底板との間を延び、複数の回転扉で共通な蝶番軸を備え、天板及び底板の対向内面に蝶番取付座が配置され、上下の蝶番取付座の間において前記共通蝶番軸にはそれぞれの回転扉のための蝶番の筒状部が端部当接構造において一連に挿入され、蝶番取付座の自由端は天板及び底板の前端面より延出され、天板及び底板の前端面より延出された蝶番取付座の前記自由端に前記蝶番軸の上下端が取付けられ、前記端部当接構造はその下端が下側の蝶番取付座により受け止められ、蝶番軸の前記上下端はそれぞれの蝶番取付座から突出されたこと特徴とする収納装置。
【請求項３】
回転扉を備えた収納装置において、回転扉はその上下端が天板の上面及び底板の下面と実質的に面一となるように延びており、天板と底板との間を延び、複数の回転扉で共通な蝶番軸を備え、天板及び底板の対向内面に蝶番取付座が配置され、上下の蝶番取付座の間において前記共通蝶番軸にはそれぞれの回転扉のための蝶番の筒状部が端部当接構造において一連に挿入され、蝶番取付座の自由端は天板及び底板の前端面より延出され、天板及び底板の前端面より延出された蝶番取付座の前記自由端に前記蝶番軸の上下端が取付けられ、前記端部当接構造はその下端が下側の蝶番取付座により受け止められ、蝶番軸の前記上下端はそれぞれの蝶番取付座から突出され、蝶番軸の上下端の前記突出部に上端及び下端が回転扉のそれぞれ上面及び下面と面一のキャップが装着されたこと特徴とする収納装置。
【請求項４】
請求項２若しくは３に記載の発明において、回転扉の回転に連動して前後される収納棚を備えた収納装置。
【請求項５】
請求項２若しくは３に記載の発明において、蝶番軸に収納棚が回転自在に設けられている収納装置。
【請求項６】
回転自在な複数の回転部を備えた収納装置において、天板と底板との間を延び、複数の回転部で共通な蝶番軸を備え、天板及び底板の対向内面に蝶番取付座が配置され、上下の蝶番取付座の間において前記共通蝶番軸にはそれぞれの回転部のための蝶番の筒状部が端部当接構造において一連に挿入され、前記蝶番軸の上下端は蝶番取付座を介してのみ天板及び底板に取付けられ、前記端部当接構造はその下端が下側の蝶番取付座により受け止められたこと特徴とする収納装置。
【請求項７】
回転自在な複数の回転部を備えた収納装置において、天板と底板との間を延び、複数の回転部で共通な蝶番軸を備え、天板及び底板の対向内面に蝶番取付座が配置され、上下の蝶番取付座の間において前記共通蝶番軸にはそれぞれの回転部のための蝶番の筒状部が端部当接構造において一連に挿入され、前記蝶番軸の上下端は蝶番取付座に固定されていて天板及び底板には固定されておらず、前記端部当接構造はその下端が下側の蝶番取付座により受け止められたこと特徴とする収納装置。
【請求項８】
回転自在な複数の回転部を備えた収納装置において、天板と底板との間を延び、複数の回転部で共通な蝶番軸を備え、天板及び底板の対向内面に蝶番取付座が配置され、上下の蝶番取付座の間において前記共通蝶番軸にはそれぞれの回転部のための蝶番の筒状部が端部当接構造において一連に挿入され、前記蝶番軸の上端及び下端は対応の蝶番取付座に固定されていて天板又は底板は蝶番軸の上端又は下端を受け止める開口を有さず、前記端部当接構造はその下端が下側の蝶番取付座により受け止められたこと特徴とする収納装置。
【請求項９】
請求項１〜８のいずれかに記載の発明において、前記蝶番取付座はビスによって天板若しくは底板に固定され、前記蝶番取付座における最奥側のビス孔は端部で開口したスロット状をなすことを特徴とする収納装置。
【請求項１０】
回転自在な複数の回転部を備えた収納装置において、天板と底板との間を延び、複数の回転部で共通な蝶番軸を備え、天板及び底板の対向内面に蝶番取付座が配置され、上下の蝶番取付座の間において前記共通蝶番軸にはそれぞれの回転部のための蝶番の筒状部が端部当接構造において一連に挿入され、前記蝶番軸の上下端は蝶番取付座に取付けられ、前記端部当接構造はその下端が下側の蝶番取付座により受け止められ、前記蝶番取付座はビスにて天板若しくは底板に内面側より固定され、蝶番取付座における奥側のビス孔は端面で開口したスロットとして形成されたこと特徴とする収納装置。
【請求項１１】
回転自在な複数の回転部を備えた収納装置において、天板と底板との間を延び、複数の回転部で共通な蝶番軸を備え、天板及び底板の対向内面に蝶番取付座が配置され、上下の蝶番取付座の間において前記共通蝶番軸にはそれぞれの回転部のための蝶番の筒状部が端部当接構造において一連に挿入され、蝶番軸と、蝶番軸の上下端の蝶番取付座と、前記端部当接構造を構成する上下の蝶番取付座間の筒状部とにより、天板と底板間に前方より装着しうる副組立体が構成され、前記副組立体における上下の蝶番取付座を天板及び底板に固定する締結具を具備したこと特徴とする収納装置。
【請求項１２】
回転自在な複数の回転部を備えた収納装置において、天板と底板との間を延び、複数の回転部で共通な蝶番軸を備え、天板及び底板の対向内面に蝶番取付座が配置され、上下の蝶番取付座の間において前記共通蝶番軸にはそれぞれの回転部のための蝶番の筒状部が端部当接構造において一連に挿入され、前記蝶番軸の上端及び下端は対応の蝶番取付座を介して天板及び底板に固定され、前記板状の蝶番は蝶番軸に嵌挿される筒状部を備え、左右の回転部の蝶番の筒状部は相互に直接若しくは補助スリーブを介して隣接した端面同士にて当接するように蝶番軸に一連に挿入され、蝶番の筒状部の端面での相互当接構造により回転部は蝶番軸に回転可能に支持され、かつ蝶番の筒状部の前記相互当接構造は下端側では第２の蝶番取付座に受け止められ、前記蝶番は上端縁の開口した取り付け孔を形成し、該取り付け孔によって回転部にビスにて固定されることを特徴とする収納家具。
【請求項１３】
回転自在な複数の回転部を備えた収納装置において、収納装置本体の天板と底板との間を延び、複数の回転部で共通な蝶番軸を備え、天板及び底板の対向内面に蝶番座が配置され、上下の蝶番座の間において前記共通蝶番軸にはそれぞれの回転部のための蝶番の筒状部が端部当接構造において一連に挿入され、蝶番座の自由端は収納装置本体の前面開口より前方に延出位置され、収納装置本体の前面開口より延出された蝶番座の前記自由端に前記蝶番軸の上下端が取付けられ、かつ前記端部当接構造はその下端が下側の蝶番座により受け止められていることを特徴とする収納装置。
【手続補正書】
【提出日】平成16年12月22日(2004.12.22)
【手続補正１】
【補正対象書類名】特許請求の範囲
【補正対象項目名】全文
【補正方法】変更
【補正の内容】
【特許請求の範囲】
【請求項１】
シューソールであって、
a.  第１の変形部材を備えた第１区域、および
b.  第２の変形部材を備えた第２区域、
を備え、
c.  前記第１の変形部材が発泡材料から構成され、
d.  前記第２の変形部材が、ハニカム状構造から構成され、発泡材料を含まないものであることを特徴とするシューソール。
【請求項２】
前記第２の変形部材が、少なくとも２つの側壁、および該２つの側壁を相互連結する少なくとも１つの張力部材を有してなることを特徴とする請求項１記載のシューソール。
【請求項３】
前記少なくとも２つの側壁および前記張力部材が、熱可塑性材料からワンピースに製造されていることを特徴とする請求項２記載のシューソール。
【請求項４】
前記熱可塑性材料が熱可塑性ポリウレタンであることを特徴とする請求項３記載のシューソール。
【請求項５】
前記熱可塑性材料が、７０から８５までのショアＡ硬度を持つことを特徴とする請求項３または４記載のシューソール。
【請求項６】
前記熱可塑性材料が、７５から８０までのショアＡ硬度を持つことを特徴とする請求項５記載のシューソール。
【請求項７】
前記側壁および／または前記張力部材が、１．５〜５ｍｍの範囲の厚さを持つことを特徴とする請求項２から６いずれか１項記載のシューソール。
【請求項８】
前記側壁および／または前記張力部材の厚さが、前記第２の変形部材の外側縁から中央に向かって増大することを特徴とする請求項２から７いずれか１項記載のシューソール。
【請求項９】
前記少なくとも２つの側壁が上方側部および／または下方側部により相互連結されていることを特徴とする請求項２から８いずれか１項記載のシューソール。
【請求項１０】
前記第２の変形部材が２つ、互いに隣接して配置されていることを特徴とする請求項２から９いずれか１項記載のシューソール。
【請求項１１】
上方側部および／または下方側部が、互いに隣接して配置された２つの第２の変形部材の隣接する側壁を相互連結することを特徴とする請求項１０記載のシューソール。
【請求項１２】
互いに隣接して配置された前記第２の変形部材が、追加の上方および／または下方連結表面により相互連結されていることを特徴とする請求項１０または１１記載のシューソール。
【請求項１３】
前記連結表面が、さらなるソール構成部材に適合するために三次元形状を有することを特徴とする請求項１２記載のシューソール。
【請求項１４】
前記張力部材が、前記少なくとも２つの側壁の中央領域を相互連結することを特徴とする請求項２から１３いずれか１項記載のシューソール。
【請求項１５】
前記側壁の各々が角度の付けられた形状を持つことを特徴とする請求項２から１４いずれか１項記載のシューソール。
【請求項１６】
前記第１区域が前記シューソールの踵領域の後端部に配置されていることを特徴とする請求項１から１５いずれか１項記載のシューソール。
【請求項１７】
前記第２区域が前記シューソールの踵領域の前方部分に設けられていることを特徴とする請求項１６記載のシューソール。
【請求項１８】
前記第１区域が、前記シューソールを備えたシューズの着用者の足の中足骨の先端の下方に配置されていることを特徴とする請求項１から１７いずれか１項記載のシューソール。
【請求項１９】
前記第２区域が、前記シューズの着用者の足の中足骨の先端の前方および／または後方に配置されていることを特徴とする請求項１８記載のシューソール。
【請求項２０】
前記第１の変形部材が、水平に延在する窪みを含むことを特徴とする請求項１から１９いずれか１項記載のシューソール。
【請求項２１】
前記第１と第２の変形部材が、前記シューソールの少なくとも１つの荷重分散プレートの下方に配置されていることを特徴とする請求項１から２０いずれか１項記載のシューソール。
【請求項２２】
前記少なくとも１つの荷重分散プレートが、前記第１および／または第２の変形部材を三次元的に取り囲むことを特徴とする請求項２１記載のシューソール。
【請求項２３】
前記第１の変形部材が、発泡材料が少なくともある程度充填された空洞を形成するシェルを含むことを特徴とする請求項１から２２いずれか１項記載のシューソール。
【請求項２４】
前記シェルが熱可塑性材料から構成され、前記発泡材料がＰＵ発泡体であることを特徴とする請求項２３記載のシューソール。
【請求項２５】
前記熱可塑性材料が熱可塑性ポリウレタンであることを特徴とする請求項２４記載のシューソール。
【請求項２６】
前記シェルが異なる壁厚を持つことを特徴とする請求項２３から２５いずれか１項記載のシューソール。
【請求項２７】
前記第１の変形部材が前記シューソールの最後端部に配置され、前記空洞が外側チャンバおよび内側チャンバを含むことを特徴とする請求項２３から２６いずれか１項記載のシューソール。
【請求項２８】
前記外側チャンバが前記内側チャンバより大きいことを特徴とする請求項２７記載のシューソール。
【請求項２９】
前記外側チャンバおよび前記内側チャンバが架橋通路により相互連結されていることを特徴とする請求項２７または２８記載のシューソール。
【請求項３０】
前記架橋通路に発泡材料が充填されていることを特徴とする請求項２９記載のシューソール。
【請求項３１】
前記外側チャンバおよび前記内側チャンバの間に、外側に開いた凹部が配置されていることを特徴とする請求項２７から３０いずれか１項記載のシューソール。
【請求項３２】
請求項１から３１いずれか１項記載のシューソールを備えたシューズ。
【手続補正書】
【提出日】平成17年8月2日(2005.8.2)
【手続補正１】
【補正対象書類名】明細書
【補正対象項目名】特許請求の範囲
【補正方法】変更
【補正の内容】
【特許請求の範囲】
【請求項１】
球状の発泡体（２）と、
当該発泡体（２）の中心部に位置する硬球（３）
とを具備することを特徴とするトスバッテング練習用ボール。
【請求項２】
当該発泡体が、軟質なプラスチック素材からなることを特徴とする請求項１に記載のトスバッテング練習用ボール。
【請求項３】
当該硬球が金属からなることを特徴とする請求項１又は２に記載のトスバッテング練習用ボール。
【手続補正２】
【補正対象書類名】明細書
【補正対象項目名】０００４
【補正方法】変更
【補正の内容】
【０００４】
【課題を解決するための手段】
上記の問題点を解決するために、本発明に係るトスバッテング練習用ボールは、球状の発泡体と、当該発泡体の中心部に位置する硬球とを具備することを特徴とする。
発泡体は好ましくは、軟質ブラスチック素材、例えばポリウレタンフォーム等からなる。柔らかさを得ることができ、飛距離をコントロールできる。中心部の硬球により、バットでボールの芯を捕らえた時の感触を得ることができる。したがってボールの芯を捕らえると硬球の感触が打撃音と共に得られる。一方ボールの飛距離は、発泡体が受ける空気抵抗により短距離にとどまり、上記したボールの柔らかさと共に建造物及び人々に対する損傷等による事故は起こらない。
【手続補正３】
【補正対象書類名】明細書
【補正対象項目名】０００５
【補正方法】変更
【補正の内容】
【０００５】
【実施例】
本発明の一実施例を図１を参照して説明する。
ボール１の表面から内部全体に発泡部２を形成した軟質プラスチック素材（例えばポリウレタンフォーム等）からなるボール１の中心部に金属からなる小さい硬球３を設け、該硬球３は弾性接合剤４でボール１の中心部に接合され構成されている。
【手続補正４】
【補正対象書類名】明細書
【補正対象項目名】０００６
【補正方法】変更
【補正の内容】
【０００６】
図２は、本実施例のボール１を芯で捕らえる場合のバット５とボール１の位置関係を示し、図３は、バット５の軌道がボール１の芯から外れている場合のバット５とボール１の位置関係を示す。図２及び図３を参照して、本実施例の作用を説明する。
トスバッテングの練習のバットスイングで、図２に示すように、ボール１を芯で捕らえると、中心部に設けた金属よりなる硬球３の感触が、打撃音と共に、バット５より体に伝わり、該バット５のスイング状態が判断できる。なおボール１の飛距離は数メートルである。又、図３に示すように、バットスイングの状態が悪くボール１を芯で捕らえ切れない場合は、中心部に設けた金属よりなる硬球３の感触及び打撃音もなくボール１の飛びもほとんどない。
【手続補正５】
【補正対象書類名】明細書
【補正対象項目名】０００７
【補正方法】変更
【補正の内容】
【０００７】
【発明の効果】
以上説明の通り、本発明のトスバッテグ練習用ボールを使用した場合、トスバッテングの練習のためのスペース、人員、用具等は、かなり削減でき、安全で、かつ従来と変わらない効果的な練習ができる。又、ボールの大きさを小さくすることで、より決めの細かいトスバッテグの錬習も期待でき、その効果は大きい。又練習後のボールの拾集も該ボールの飛びの範囲が狭いため容易にできる。
【手続補正書】
【提出日】平成17年3月28日(2005.3.28)
【手続補正１】
【補正対象書類名】明細書
【補正対象項目名】特許請求の範囲
【補正方法】変更
【補正の内容】
【特許請求の範囲】
【請求項１】
送電線の自端子の相電流を検出する自端子電流検出手段と、送電線の相手端子の相電流を検出する相手端子電流検出手段と、前記自端子電流検出手段が検出した自端子電流データおよび前記相手端子電流検出手段が検出した相手端子電流データを入力して過負荷演算を行う過負荷演算手段とを備え、
前記過負荷演算手段は、前記送電線の過負荷状態を検出した場合、前記送電線中の遮断器を遮断する遮断指令を出力することを特徴とする保護リレー装置。
【請求項２】
前記送電線が三端子を備える場合に、前記過負荷演算手段は、前記各端子の電流データを入力して過負荷演算することを特徴とする請求項１記載の保護リレー装置。
【請求項３】
前記各端子の電流データと自端子電流検出手段で検出された自端子電流データを組み合わせ、前記自端子電流検出手段に異常が発生したことを検出することを特徴とする請求項２記載の保護リレー装置。
【手続補正２】
【補正対象書類名】明細書
【補正対象項目名】０００１
【補正方法】変更
【補正の内容】
【０００１】
【発明の属する技術分野】
本発明は保護リレー装置に係り、特に送電線に過電流が流れた場合に確実にこれを検出し、当該送電線を保護するものに好適な保護リレー装置に関する。
【手続補正３】
【補正対象書類名】明細書
【補正対象項目名】０００２
【補正方法】変更
【補正の内容】
【０００２】
【従来の技術】
従来、送電線の過負荷保護は、自端の通過電流を検出し、その大きさによって過負荷と判断して送電線の遮断器を遮断してきた。
【手続補正４】
【補正対象書類名】明細書
【補正対象項目名】０００３
【補正方法】変更
【補正の内容】
【０００３】
【発明が解決しようとする課題】
しかしながら、従来の方式では、多端子送電線等ではどの区間が過負荷になっているか判断できないため、誤遮断に至るケースが考えられる。また、自端子の電流情報（計器用変流器情報）により過負荷を算出していることから、計器用変流器に異常が発生した場合、誤動作や誤不動作することが考えられた。
本発明は上記の点に鑑みなされたもので、どの区間で過負荷となるかを確実に判断して遮断器に遮断指令を出力すると共に、単一の計器用変流器の異常では誤動作や誤不動作しない保護リレー装置を提供することを目的とする。
【手続補正５】
【補正対象書類名】明細書
【補正対象項目名】０００４
【補正方法】削除
【補正の内容】
【手続補正６】
【補正対象書類名】明細書
【補正対象項目名】０００５
【補正方法】変更
【補正の内容】
【０００５】
【課題を解決するための手段】
上記目的を達成するために、本発明では、送電線の自端子の相電流を検出する自端子電流検出手段と、送電線の相手端子の相電流を検出する相手端子電流検出手段と、前記自端子電流検出手段が検出した自端子電流データおよび前記相手端子電流検出手段が検出した相手端子電流データを入力して過負荷演算を行う過負荷演算手段とを備え、前記過負荷演算手段は、前記送電線の過負荷状態を検出した場合、前記送電線中の遮断器を遮断する遮断指令を出力する保護リレー装置としたことを特徴とする。
【手続補正７】
【補正対象書類名】明細書
【補正対象項目名】０００６
【補正方法】削除
【補正の内容】
【手続補正８】
【補正対象書類名】明細書
【補正対象項目名】０００７
【補正方法】削除
【補正の内容】
【手続補正９】
【補正対象書類名】明細書
【補正対象項目名】０００８
【補正方法】削除
【補正の内容】
【手続補正１０】
【補正対象書類名】明細書
【補正対象項目名】０００９
【補正方法】削除
【補正の内容】
【手続補正１１】
【補正対象書類名】明細書
【補正対象項目名】００１０
【補正方法】削除
【補正の内容】
【手続補正１２】
【補正対象書類名】明細書
【補正対象項目名】００２５
【補正方法】変更
【補正の内容】
【００２５】
【発明の効果】
以上、本発明によれば、送電線の過負荷区間を確実に検出可能であり、また単一不良では誤動作しないことにより送電線の不要な遮断を防止でき安定した電流の供給が可能である。
【手続補正書】
【提出日】平成16年6月3日(2004.6.3)
【手続補正１】
【補正対象書類名】明細書
【補正対象項目名】特許請求の範囲
【補正方法】変更
【補正の内容】
【特許請求の範囲】
【請求項１】
ネットワークを介して、画像を含む文書情報を発信する情報処理装置であって、
画像入力手段の入力スケジュール情報を記憶するスケジュール記憶手段と、
前記スケジュール情報にしたがって、得られた画像を記憶する画像記憶手段と、
前記文書情報の画像を、前記画像記憶手段に記憶された画像に置き換えて新たな文書情報を作成する文書作成手段と
を備えることを特徴とする情報処理装置。
【請求項２】
更に前記文書作成手段で作成された文書情報を前記ネットワークサーバに転送する手段を備えることを特徴とする請求項第１項に記載の情報処理装置。
【請求項３】
更に、従前の文書情報中のどの画像を、前記記憶手段に新たに記憶された画像で変更するかを指定する指定手段を備えることを特徴とする請求項第１項又は第２項に記載の情報処理装置。
【請求項４】
更に、前記変更がなされた画像について、区別して表示する表示制御手段を備えることを特徴とする請求項第３項に記載の情報処理装置。
【請求項５】
更に、前記文書情報中の画像について選定を決定した場合、他の画像と区別して表示する表示制御手段を備えることを特徴とする請求項第３項に記載の情報処理装置。
【請求項６】
更に、予め用意された画像を記憶し、文書情報中の変更されていない画像について前記予め用意された画像で置き換える手段を備えることを特徴とする請求項第１項に記載の情報処理装置。
【請求項７】
前記文書情報はＨＴＭＬ形式の文書情報であることを特徴とする請求項第１項乃至第６項のいずれか１項に記載の情報処理装置。
【請求項８】
前記入力スケジュールは、撮影ポジションと撮影時刻を含むことを特徴とする請求項第１項に記載の情報処理装置。
【請求項９】
ネットワークを介して、画像を含む文書情報を発信する情報処理装置の制御方法であって、
所定の画像入力手段の入力スケジュール情報を記憶する工程と、
前記スケジュール情報にしたがって、得られた画像を記憶する工程と、
前記文書情報の画像を、前記工程で記憶された画像に置き換えて新たな文書情報を作成する工程と
を備えることを特徴とする情報処理装置の制御方法。
【請求項１０】
ネットワークを介して、画像を含む文書情報を発信する情報処理装置用のコンピュータプログラムコードを格納する記憶媒体であって、
所定の画像入力手段の入力スケジュール情報を記憶する工程のプログラムコードと、
前記スケジュール情報にしたがって、得られた画像を記憶する工程のプログラムコードと、
前記文書情報の画像を、前記工程で記憶された画像に置き換えて新たな文書情報を作成する工程のプログラムコードと
を格納することを特徴とする記憶媒体。
【請求項１１】
ネットワークを介して発信するための文書情報中の画像を更新する情報処理装置であって、
映像入力手段の撮影ポジションと撮影時刻を有するスケジュール情報を記憶するスケジュール記憶手段と、
該スケジュール記憶手段に記憶されたスケジュール情報にしたがって、前記映像入力手段を付勢し、得られた画像を所定の画像記憶手段に保存する制御手段と、
前記画像記憶手段に記憶された画像を、当該画像の撮影ポジションに対応する従前の文書情報中の同撮影ポジションの画像に置き換えて新たな文書情報を作成する文書作成手段と
を備えることを特徴とする情報処理装置。
【請求項１２】
更に前記文書作成手段で作成された文書情報を前記ネットワークサーバに転送する手段を備えることを特徴とする請求項第１１項に記載の情報処理装置。
【請求項１３】
更に、従前の文書情報中のどの画像を、前記記憶手段に新たに記憶された画像で変更するかを指定する指定手段を備えることを特徴とする請求項第１１項又は第１２項に記載の情報処理装置。
【請求項１４】
更に、前記変更がなされた画像について、区別して表示する表示制御手段を備えることを特徴とする請求項第１３項に記載の情報処理装置。
【請求項１５】
更に、前記文書情報中の画像について選定を決定した場合、他の画像と区別して表示する表示制御手段を備えることを特徴とする請求項第１３項に記載の情報処理装置。
【請求項１６】
更に、予め用意された画像を記憶し、文書情報中の変更されていない画像について前記予め用意された画像で置き換える手段を備えることを特徴とする請求項第１１項に記載の情報処理装置。
【請求項１７】
前記文書情報はＨＴＭＬ形式の文書情報であることを特徴とする請求項第１１項乃至第１６項のいずれか１項に記載の情報処理装置。
【請求項１８】
ネットワークを介して発信するための文書情報中の画像を映像入力手段で撮影させる情報処理装置の制御方法であって、
前記映像入力手段の撮影ポジションと撮影時刻を有するスケジュール情報を記憶する工程と、
記憶されたスケジュール情報にしたがって、前記映像入力手段を付勢し、得られた画像を所定の画像記憶手段に保存する工程と、
前記画像記憶手段に記憶された画像を、当該画像の撮影ポジションに対応する従前の文書情報中の同撮影ポジションの画像に置き換えて新たな文書情報を作成する工程と
を備えることを特徴とする情報処理装置の制御方法。
【請求項１９】
ネットワークを介して発信するための文書情報中の画像を映像入力手段で撮影させる情報処理装置用のコンピュータプログラムコードを格納する記憶媒体であって、
前記映像入力手段の撮影ポジションと撮影時刻を有するスケジュール情報を記憶する工程のプログラムコードと、
記憶されたスケジュール情報にしたがって、前記映像入力手段を付勢し、得られた画像を所定の画像記憶手段に保存する工程のプログラムコードと、
前記画像記憶手段に記憶された画像を、当該画像の撮影ポジションに対応する従前の文書情報中の同撮影ポジションの画像に置き換えて新たな文書情報を作成する工程のプログラムコードと
を格納することを特徴とする記憶媒体。
【手続補正２】
【補正対象書類名】明細書
【補正対象項目名】０００９
【補正方法】変更
【補正の内容】
【０００９】
【課題を解決するための手段】
この課題を解決するため、例えば本発明の情報処理装置は以下の構成を備える。すなわち、
ネットワークを介して、画像を含む文書情報を発信する情報処理装置であって、
画像入力手段の入力スケジュール情報を記憶するスケジュール記憶手段と、
前記スケジュール情報にしたがって、得られた画像を記憶する画像記憶手段と、
前記文書情報の画像を、前記画像記憶手段に記憶された画像に置き換えて新たな文書情報を作成する文書作成手段とを備える。